(57)【要約】【課題】三脚の持ち運びの大変さを緩和することの可能な、新規かつ改良された三脚構成具を提供する。【解決手段】三脚構成具１００は、ゴルフクラブ２００を用いて三脚を構成するためのである。三脚構成具１００は、３本のゴルフクラブ２００のグリップ２１０がそれぞれ挿入されて、３本のゴルフクラブ２００をそれぞれ所定方向に支持する３つのグリップ挿入部１１０と、グリップ挿入部１１０が設けられる面の反対面に設けられ、撮像装置を支持する撮像装置支持部１２０と、を備えたことを特徴とする。かかる構成によれば、ゴルフのプレー中や練習の際に用いる三脚を容易に持ち運ぶことができる。【選択図】図２
2019095537.tif 000002
【特許請求の範囲】
【請求項１】
ゴルフクラブを用いて三脚を構成するための三脚構成具であって、
３本のゴルフクラブのグリップがそれぞれ挿入されて、前記３本のゴルフクラブをそれぞれ所定方向に支持する３つのグリップ挿入部と、
前記グリップ挿入部が設けられる面の反対面に設けられ、撮像装置を支持する撮像装置支持部と、
を備えたことを特徴とする、三脚構成具。
【請求項２】
前記所定方向に支持された前記３本のゴルフクラブを相互に連結することで、前記３本のゴルフクラブの支持を補助する連結部材をさらに備えたことを特徴とする、請求項１に記載の三脚構成具。
【請求項３】
前記グリップ挿入部が設けられる面とその反対面との間の空間に、前記連結部材を収納できる収納部が設けられたことを特徴とする、請求項２に記載の三脚構成具。
【請求項４】
前記撮像装置支持部は、前記撮像装置を挟持することにより支持することを特徴とする、請求項１〜３のいずれかに記載の三脚構成具。
【請求項５】
前記撮像装置支持部は、前記撮像装置の向きを操作する操作部として機能することを特徴とする、請求項４に記載の三脚構成具。
【発明の詳細な説明】
【技術分野】
【０００１】
本発明は、三脚を構成するための三脚構成具にかかり、特に、ゴルフのプレー中や練習の際に用いる三脚を構成するための三脚構成具に関する。
【背景技術】
【０００２】
ゴルフのプレー中や練習の際に、自分のフォームを確認したり改善したりするため、動画や静止画の撮影をする人は多い。他に撮影者がいないときには、三脚を持参して三脚を用いて本人自身で撮影することになる。
【先行技術文献】
【非特許文献】
【０００３】
【非特許文献１】インターネット＜ＵＲＬ：http://goo.gl/1jmCGx＞
【発明の概要】
【発明が解決しようとする課題】
【０００４】
ところで、一般的な三脚は主に雲台と３本の脚部などからなり（非特許文献１参照）、ゴルフ用具とともに持って行くのは大変である。三脚の一部を折り畳んだり別体にできたりする三脚であっても、全体の容量自体は変わらず、持ち運びの困難さは変わらない。
【０００５】
そこで本発明は、このような問題に鑑みてなされたもので、その目的とするところは、ゴルフのプレー中や練習の際などに用いる三脚の持ち運びの困難さを緩和することの可能な、新規かつ改良された三脚構成具を提供することにある。
【課題を解決するための手段】
【０００６】
上記課題を解決するために、本発明によれば、ゴルフクラブを用いて三脚を構成するための三脚構成具であって、３本のゴルフクラブのグリップがそれぞれ挿入されて、前記３本のゴルフクラブをそれぞれ所定方向に支持する３つのグリップ挿入部と、前記グリップ挿入部が設けられる面の反対面に設けられ、撮像装置を支持する撮像装置支持部と、を備えたことを特徴とする、三脚構成具が提供される。
【０００７】
かかる構成によれば、ゴルフクラブを用いて三脚の脚部を構成することができるので、三脚自体の容量は、三脚の雲台に相当する部分のみで済む。このようにして、三脚の容量を減らすことができ、ゴルフのプレー中や練習の際などに用いる三脚の持ち運びの困難さを緩和することができる。
【０００８】
本発明は様々な応用が可能である。以下の応用例は適宜組み合わせることが可能である。
例えば、前記所定方向に支持された前記３本のゴルフクラブを相互に連結することで、前記３本のゴルフクラブの支持を補助する連結部材をさらに備えてもよい。連結部材は、三脚構成具に一体に取り付けられていてもよく、三脚構成具に着脱自在であってもよく、あるいは三脚構成具とは別体であってもよい。このような連結部材によれば、三脚の脚部を構成する３本のゴルフクラブの支持が補助されることで、三脚が安定する。
【０００９】
また、前記グリップ挿入部が設けられる面とその反対面との間の空間に、前記連結部材を収納できる収納部が設けられるようにしてもよい。連結部材を収納できるので、連結部材の紛失を防止できるとともに、三脚構成具がコンパクトになり、持ち運びも容易になる。
【００１０】
また、前記撮像装置支持部は、前記撮像装置を挟持することにより支持するようにしてもよい。ゴルフのプレー中や練習中に自分のフォームを確認したり改善したりするための撮影は、スマートフォンのような簡易な撮像装置が適している。そこで、撮像装置支持部として、薄型の撮像装置、例えばスマートフォンを挟持することにより支持することが好ましい。
【００１１】
また、前記撮像装置支持部は、前記撮像装置の向きを操作する操作部として機能するようにしてもよい。例えば、撮像装置支持部は、撮像装置を挟持することにより支持するものであり、その撮像装置支持部から操作部が延在し、その操作部を把持して操作できるようにしてもよい。撮像装置の向きなどを容易に操作することができる。
【発明の効果】
【００１２】
本発明によれば、ゴルフのプレー中や練習の際などに用いる三脚の持ち運びの困難さを緩和することが可能である。本発明のその他の効果については、後述する発明を実施するための形態においても説明する。
【図面の簡単な説明】
【００１３】
【図１】三脚構成具１００の斜視図である。
【図２】三脚構成具１００とゴルフクラブ２００によって構成した三脚の全体を示す斜視図である。
【図３】グリップ挿入部１１０を説明するための図である。
【図４】撮像装置支持部１２０を説明するための図である。
【図５】連結部材１３０の構成を説明するための図である。
【図６】グリップ挿入部１１０にゴルフクラブ２００のグリップ２１０を挿入した図である。
【図７】三脚構成具１００にスマートフォンを取り付けた状態を示す図である。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
（第１の実施形態）
第１の実施形態の三脚構成具１００について、図１及び図２を参照しながら説明する。図１は、三脚構成具１００の斜視図である。図２は、三脚構成具１００とゴルフクラブ２００によって構成した三脚の全体を示す斜視図である。本実施形態の三脚構成具１００は、ゴルフクラブ２００を用いて三脚を構成するためのものであって、図１及び図２に示したように、３本のゴルフクラブ２００のグリップ２１０がそれぞれ所定角度に挿入されて、３本のゴルフクラブ２００をそれぞれ所定方向に支持する３つのグリップ挿入部１１０（１１０−１〜１１０−３）と、グリップ挿入部１１０が設けられる面の反対面に設けられ、撮像装置を支持する撮像装置支持部１２０と、３本のゴルフクラブ２００の支持を補助する連結部材１３０と、を備えたことを特徴とする。以下、詳細に説明する。
【００１６】
（三脚構成具１００）
三脚構成具１００は、ゴルフクラブ２００を用いて三脚を構成するためのものであり、一般的な三脚の雲台に相当する部分である。三脚構成具１００は、図１及び図２に示したように、本体がおむすび型（高さの低い略三角柱状）である。三脚構成具１００の全ての角は丸められており、ゴルフクラブ２００とともに三脚を組み立てる際に把持し易くなっている。三脚構成具１００は例えばアクリル素材などで構成することができる。
【００１７】
三脚構成具１００の三角形状の一方の面にはグリップ挿入部１１０が設けられ、他方の面には撮像装置支持部１２０が設けられる。また、三脚構成具１００は、所定方向に支持された３本のゴルフクラブ２００を相互に連結することで、３本のゴルフクラブ２００の支持を補助する連結部材１３０をさらに備える。以下、これら構成要素について詳細に説明する。
【００１８】
（グリップ挿入部１１０）
グリップ挿入部１１０は、３本のゴルフクラブ２００をそれぞれ所定方向に支持するものである。グリップ挿入部１１０について、図１及び図２に加えて図３を参照しながら説明する。図３は、グリップ挿入部１１０を説明するための図である。グリップ挿入部１１０は、図１〜図３に示したように、３本のゴルフクラブ２００をそれぞれ所定方向に支持する穴（凹部）であり、三脚構成具１００の一方の面に等間隔に３つ形成されている。
【００１９】
グリップ挿入部１１０の穴の形成方向によって、ゴルフクラブ２００を挿入したときに構成される三脚の脚部の方向が決まる。グリップ挿入部１１０の穴の形成方向は任意である。通常の三脚では、３本の脚部が鉛直方向よりも外側に放射状に広がった状態になる。この点、本実施形態のグリップ挿入部１１０の穴の方向は、図３に示したように、グリップ挿入部１１０に挿入されたゴルフクラブ２００が鉛直方向から見て内側を向くように構成される。３本のゴルフクラブ２００を内側を向くように傾けることにより、三脚の脚部の安定性に優れる。
【００２０】
なお、グリップ挿入部１１０の穴の形成方向は図３に示した一例に限定されない。例えば、通常の三脚と同じように、３本のゴルフクラブ２００が鉛直方向よりも外側に放射状に広がる状態になるように、グリップ挿入部１１０の穴を形成してもよい。通常の三脚と同様に扱うことができ操作性に優れる。また、ゴルフクラブ２００が隣接するグリップ挿入部１１０の方向を向くように、グリップ挿入部１１０の穴を形成してもよい。すなわち、例えば図３において、グリップ挿入部１１０−１に挿入されるゴルフクラブ２００がグリップ挿入部１１０−２の方向を向き、グリップ挿入部１１０−２に挿入されるゴルフクラブ２００がグリップ挿入部１１０−３の方向を向き、グリップ挿入部１１０−３に挿入されるゴルフクラブ２００がグリップ挿入部１１０−１の方向を向くようにしてもよい。この例のように、グリップ挿入部１１０の穴を回転対称に構成すると、安定性に優れた三脚を構成することができる。
【００２１】
グリップ挿入部１１０は、ゴルフクラブ２００の挿入に耐えられる強度を持ち、柔軟性のある柔らかさを兼ね備えた素材で構成されている。例えば、グリップ挿入部１１０は、三脚構成具１００をアクリル素材で構成し、三脚構成具１００を凹部に加工しただけの構成でもよい。また、グリップ挿入部１１０は、凹部にＥＶＡ等の硬めのスポンジ素材を貼り付けた構成などでもよい。このように、グリップ挿入部１１０に柔軟性のある素材を用いることで、異なる長さ、ライ角のゴルフクラブ２００を装着することが可能になる。
【００２２】
ゴルフクラブ２００は、種類によって長さやグリップ２１０の形状、ヘッドの形状や角度が異なることがある。このため、すべてのゴルフクラブ２００を同じ角度と深さでグリップ挿入部１１０に挿入すると、三脚の脚の高さが異なることがある。よって、グリップ挿入部１１０は、ゴルフクラブ２００の挿入する角度や深さを変えることができる形や大きさに構成することが好ましい。このように構成することで、ゴルフクラブ２００の種類にかかわらず、三脚の脚の高さが揃うように、ゴルフクラブ２００をグリップ挿入部１１０に挿入することができる。
【００２３】
（撮像装置支持部１２０）
撮像装置支持部１２０は、カメラやスマートフォンなどの撮像装置を支持する部分である。撮像装置支持部１２０について、図１〜図３に加えて図４を参照しながら説明する。図４は、撮像装置支持部１２０を説明するための図である。撮像装置支持部１２０は、図１〜図４に示したように、三脚構成具１００の他方の面の中央から突出する雄ねじで構成される。撮像装置支持部１２０は、三脚構成具１００の一方の面に穴を設けてその穴から挿入して他方の面から突出させるようにしてもよく、その他の構成でもよい。撮像装置支持部１２０に撮像装置を直接取り付けてもよく、また、クイックシューなどのアダプターを介して撮像装置を取り付けてもよい。また、本実施形態では、撮像装置支持部１２０を雄ねじで構成し、撮像装置やアダプターなどを螺合させる構成としたが、本発明はこの構成に限定されない。例えば、螺合させる構成なら雌ねじでもよく、また、螺合させるのではなく、軸方向の溝が設けられた突出部や溝部などの構成にして単に差し込むだけで連結させる構成としてもよい。
【００２４】
（連結部材１３０）
連結部材１３０は、図２に示したように、所定方向に支持された３本のゴルフクラブ２００を相互に連結することで、３本のゴルフクラブ２００の支持を補助するものである。図５は、連結部材１３０の構成を説明するための図である。連結部材１３０は、図５に示したように、三角形の三辺を構成する紐１３２と、三角形の頂点に設けられる３つの取付具１３４とを備えて構成される。
【００２５】
紐１３２は、柔軟性や伸縮性のある素材、例えばゴムなどで構成されており、隣り合うゴルフクラブ２００の間隔を規定し、互いに引っ張ることにより、３本のゴルフクラブ２００の立脚の強度を補助する。紐１３２の長さは可変としてもよい。紐１３２の長さを調整することで３本のゴルフクラブ２００の角度を変えて、三脚構成具１００の高さを調整することができる。
【００２６】
取付具１３４は、ゴルフクラブ２００のシャフト２２０に着脱自在に取り付けられる。３つの取付具１３４のうちの１つの取付具１３４−１は、クリップのように挟み付けるタイプであり、２つの取付具１３４−２、１３４−３は、フックのように引っ掛けるタイプである。クリップタイプの取付具１３４−１は、連結部材１３０のシャフト２２０への取り付け位置を決めるために、クリップのように挟み付けることによって固定的に取り付けられる。フックタイプの取付具１３４−２、１３４−３は、シャフト２２０に引っ掛けるだけなので、ゴルフクラブ２００の傾きや位置を調整するときなどに容易に着脱できる。
【００２７】
さらに、取付具１３４には、シャフト２２０と接する面に、滑り止めを装着することができる。滑り止めには、例えばゴムなどの摩擦の大きな材質が好適である。シャフト２２０には、スチール金属、カーボンシャフトなどが採用されており、取付具１３４が滑りやすいが、滑り止めを用いることにより取付具１３４がシャフト２２０により強固に取り付けられて支持することが可能になる。
【００２８】
クリップタイプの取付具１３４−１の根元部分には、紐１３２の長さを調整するための長さ調整具１３６が設けられている。長さ調整具１３６には、２つの挿通孔１３６ａ、１３６ｂが設けられている。第１の挿通孔１３６ａには、クリップタイプの取付具１３４−１に連結される紐１３２の一端が挿通している。第２の挿通孔１３６ｂには、紐１３２の他端が挿通し、結び目１３２ａが形成されて第２の挿通孔１３６ｂから抜け止めされている。紐１３２の結び目１３２ａの位置を変更することによって、紐１３２の長さが調整される。なお、紐１３２の第２の挿通孔１３６ｂからの抜け止めは、結び目１３２ａに限定されず、抜けとめ部材を別途設けてもよい。
【００２９】
なお、３つの取付具１３４として、１つがクリップタイプ、２つがフックタイプであるとして説明したが、この例に限定されない。クリップタイプとフックタイプの混合の比率は適宜設計することができる。また、取付具は、クリップタイプやフックタイプ以外の形状のものとしてもよい。
【００３０】
以上、図１〜図５を参照しながら三脚構成具１００の構成について説明した。次に、三脚構成具１００の使用方法について、図１〜図５に加えて図６を参照しながら説明する。図６は、グリップ挿入部１１０にゴルフクラブ２００のグリップ２１０を挿入した図である。
【００３１】
ゴルフのプレーや練習の際にユーザは三脚構成具１００を持ち運ぶ。この際、ゴルフバッグに多数本のゴルフクラブに加え、三脚構成具１００を持ち運ぶことになるが、上述したように三脚構成具１００は、三脚の脚部がなく、三脚の雲台部分に相当する部分だけであるので、コンパクトであり、持ち運びが容易である。
【００３２】
そして、ゴルフのプレー中や練習の際に動画や静止画の撮影をするためには、図６に示したように、使用していない３本のゴルフクラブ２００を、グリップ挿入部１１０に挿入する。グリップ挿入部１１０には、図６に示したように、傾けられたゴルフクラブ２００のグリップ２１０が斜めに挿入される。ゴルフクラブ２００の種類によって長さが異なる場合があるが、ゴルフクラブ２００の傾ける角度を異なるようにすることによってグリップ２１０がグリップ挿入部１１０に挿入される。
【００３３】
次に、連結部材１３０をゴルフクラブ２００のシャフト２２０の下部に取り付けると、図２に示したように、３本のゴルフクラブ２００の傾斜角度が固定されて安定する。このようにして、三脚が完成する。
【００３４】
このように構成された三脚には、撮像装置支持部１２０に、スマートフォンなどの撮像装置を取り付けて使用することができる。
【００３５】
（第１の実施形態の効果）
以上説明したように、本実施形態によれば、ゴルフのプレー中や練習の際に用いる三脚を容易に持ち運ぶことができる。
【００３６】
また、連結部材１３０で３本のゴルフクラブを相互に連結することで、３本のゴルフクラブの間隔が固定されるため安定する。
【００３７】
また、グリップ挿入部１１０と紐１３２とに柔軟性のある素材を用いることで、異なる長さ、ライ角のゴルフクラブ２００を装着することが可能になる。
【００３８】
以下では、上記第１の実施形態を応用した他の実施形態について説明する。以下の実施形態の説明では、上記第１の実施形態と異なる点を中心に説明することとし、上記第１の実施形態と同様の点については、重複説明を省略する。
【００３９】
（第２の実施形態）
上記第１の実施形態では、グリップ挿入部１１０と撮像装置支持部１２０とを備えた三脚構成具１００について説明した。三脚構成具はグリップ挿入部が設けられる面と撮像装置支持部が設けられる面との間の空間に、連結部材１３０を収納できる収納部が設けられていてもよい。
【００４０】
この際、三脚構成具は、例えば、容器と蓋のように高さ方向に着脱自在に２分割され、内部が収納部とされた構成としてもよい。容器側にグリップ挿入部を設け、蓋側に撮像装置支持部を設けるようにしてもよい。
【００４１】
かかる構成によれば、三脚構成具がコンパクトになり、持ち運びも容易になる。
【００４２】
なお、本実施形態では、三脚構成具１００の内部に連結部材１３０を収納する収納部を設けたが、本発明はこの例に限定されず、三脚構成具の外周を凹ませて、この凹みに連結部材を巻き付ける構成としてもよい。この場合も本実施形態と同様の効果を得られる。
【００４３】
（第３の実施形態）
上記第１の実施形態では、撮像装置支持部１２０が雄ねじで構成される例について説明した。この点、図７に示したように、撮像装置を挟持することにより支持する構成としてもよい。すなわち、図７に示したように、三脚構成具１００の上面に、撮像装置支持部１２０に代えて、あるいは撮像装置支持部１２０の雄ネジに取り付けるようにして、アダプターＡＰを取り付けることができる。そして、アダプターＡＰにスマートフォンＳＰのような薄型の撮像装置を挟持させることができる。
【００４４】
さらにこのアダプターＡＰは、スマートフォンＳＰの向きを操作する操作部として機能させるようにしてもよい。すなわち、例えばアダプターＡＰの端部を、図７に示したように、三脚構成具１００の外部まで延在させることができる。このアダプターＡＰの端部を把持することにより、スマートフォンＳＰの向きをパン（上下）、チルト（左右）などの方向に操作することができる。三脚の脚部をゴルフクラブで構成すると、撮像装置を必ずしも水平を保つことができない場合があるが、撮像装置の向きを操作できるようにすれば、柔軟な撮影が可能となる。
【００４５】
以上説明したように、本実施形態によれば、例えばスマートフォンなどの薄型の撮像装置を挟持することにより、容易に支持することができる。
【００４６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４７】
例えば、上記実施形態では、所定方向に支持された３本のゴルフクラブ２００を相互に連結することで、３本のゴルフクラブ２００の支持を補助する連結部材１３０をさらに備える構成としたが、本発明はこの例に限定されず、必ずしも連結部材を設けなくてもよい。
【００４８】
また、上記実施形態では、三脚構成具１００は本体をおむすび型としたが、本発明はこの例に限定されない。三脚構成具を、例えば高さの低い略円柱形状や方形状など、任意の形状に設計することができる。
【００４９】
また、上記実施形態では、三脚構成具１００にアダプターＡＰを支持する撮像装置支持部１２０を設ける構成や、三脚構成具にアダプターが直接設けられている構成としたが、本発明はこの例に限定されない。三脚構成具自体が、例えばスマートフォンを挟持したりするような、撮像装置支持部を兼ねた構成としてもよい。
【００５０】
上記実施形態、応用例、変形例は、任意に組み合わせて実施することができる。
【符号の説明】
【００５１】
１００  三脚構成具
１１０（１１０−１、１１０−２、１１０−３）  グリップ挿入部
１２０  撮像装置支持部
１３０  連結部材
１３２  紐
１３２ａ  結び目
１３４（１３４−１、１３４−２、１３４−３）  取付具
１３６  長さ調整具
１３６ａ、１３６ｂ  挿通孔
２００  ゴルフクラブ
２１０  グリップ
２２０  シャフト
ＡＰ  アダプター
ＳＰ  スマートフォン
【図１】
2019095537.tif 000003
【図２】
2019095537.tif 000004
【図３】
2019095537.tif 000005
【図４】
2019095537.tif 000006
【図５】
2019095537.tif 000007
【図６】
2019095537.tif 000008
【図７】
2019095537.tif 000009
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
ゴルフクラブを用いて三脚を構成するための三脚構成具であって、
３本のゴルフクラブのグリップがそれぞれ挿入されて、前記３本のゴルフクラブをそれぞれ所定方向に支持する３つのグリップ挿入部と、
前記グリップ挿入部が設けられる面の反対面に設けられ、撮像装置を支持する撮像装置支持部と、
前記所定方向に支持された前記３本のゴルフクラブを相互に連結することで、前記３本のゴルフクラブの支持を補助する連結部材と、
を備え、
前記グリップ挿入部が設けられる面とその反対面との間の空間に、前記連結部材を収納できる収納部が設けられたことを特徴とする、三脚構成具。
【請求項２】
前記撮像装置支持部は、前記撮像装置を挟持することにより支持することを特徴とする、請求項１に記載の三脚構成具。
【請求項３】
前記撮像装置支持部は、前記撮像装置の向きを操作する操作部として機能することを特徴とする、請求項２に記載の三脚構成具。